(57)【要約】【課題】電源ランプとしてのＬＥＤを省略することで電力消費量を抑制し、排出用スタッカを閉塞した状態での記録の実行を規制することで被記録材の詰まり等を防止する。【解決手段】電源起動装置１は、未使用時には記録装置本体３の前面開口４を閉塞すると共に、使用時には手前に拡開して、記録実行後の被記録材Ｐを受け取る排出用スタッカ５０と、記録装置本体３の前面開口４の近傍または排出用スタッカ５０に対して設けられる内部電源スイッチ３０と、排出用スタッカ５０または記録装置本体３の前面開口４の近傍に対して設けられる電源起動片３１とを備え、排出用スタッカ５０を拡開した時に電源がＯＮ、排出用スタッカ５０を閉塞した時に電源がＯＦＦになるように構成されている。【選択図】図３
2005280275.tif 000002
【特許請求の範囲】
【請求項１】
未使用時には記録装置本体の開口を閉塞すると共に、使用時には拡開して、記録実行後の被記録材を前記開口から受け取る排出用スタッカと、記録装置本体の前記開口の近傍または排出用スタッカに対して設けられる内部電源スイッチと、排出用スタッカまたは記録装置本体の前記開口の近傍に対して設けられる電源起動片とを備え、排出用スタッカを拡開した時に電源がＯＮ、排出用スタッカを閉塞した時に電源がＯＦＦとなるように構成されていることを特徴とする電源起動装置。
【請求項２】
請求項１において、前記内部電源スイッチは電源起動片が非作動状態にある時に電源がＯＮ、電源起動片が作動状態にある時に電源がＯＦＦとなる逆接点タイプのスイッチであることを特徴とする電源起動装置。
【請求項３】
請求項１において、前記内部電源スイッチは正接点タイプのスイッチであり、排出用スタッカを拡開した時に電源起動片が作動状態に移行して電源がＯＮ、排出用スタッカを閉塞した時に電源起動片が非作動状態に移行して電源がＯＦＦになるように電源起動片の作用位置を切り換える作用位置切換え機構が設けられていることを特徴とする電源起動装置。
【請求項４】
請求項１において、前記内部電源スイッチは正接点タイプのスイッチであり、排出用スタッカを拡開した時に内部電源スイッチの操作片を付勢して電源をＯＮにし、排出用スタッカを閉塞した時に内部電源スイッチの操作片の付勢を解除して電源をＯＦＦにする操作片付勢手段が設けられていることを特徴とする電源起動装置。
【請求項５】
請求項１〜４のいずれか１項において、前記内部電源スイッチは機械的な接触式のリミットスイッチであり、電源起動片には、リミットスイッチの操作片の回動動作を案内する案内作用面が形成されていることを特徴とする電源起動装置。
【請求項６】
未使用時には記録装置本体の開口を閉塞すると共に、使用時には拡開して、記録実行後の被記録材を前記開口から受け取る排出用スタッカを電源起動操作手段として使用した電源起動方法であって、
前記電源起動方法は、排出用スタッカの拡開、閉塞の別を確認し、排出用スタッカが拡開されていると確認された場合には電源をＯＮの状態にし、排出用スタッカが閉塞されていると確認された場合には電源をＯＮの状態にしないように設定したことを特徴とする電源起動方法。
【請求項７】
請求項６において、電源をＯＮの状態にした後、待機状態に移行し、一定の待機時間が経過した後、再度排出用スタッカの拡開、閉塞の別を確認し、排出用スタッカが拡開されていると確認された場合には電源をＯＮの状態を維持し、排出用スタッカが閉塞されていると確認された場合には電源をＯＦＦの状態にするように設定したことを特徴とする電源起動方法。
【請求項８】
未使用時には記録装置本体の開口を閉塞すると共に、使用時には拡開して、記録実行後の被記録材を前記開口から受け取る排出用スタッカを備える記録装置であって、
前記記録装置には、請求項１〜５のいずれか１項に記載の電源起動装置が設けられていることを特徴とする記録装置。
【請求項９】
未使用時には液体噴射装置本体の開口を閉塞すると共に、使用時には拡開して、液体噴射実行後の被液体噴射材を前記開口から受け取る排出用スタッカを備える液体噴射装置であって、
前記液体噴射装置には、液体噴射装置本体の前記開口の近傍または排出用スタッカに対して設けられる内部電源スイッチと、排出用スタッカまたは液体噴射装置本体の前記開口の近傍に対して設けられる電源起動片とが設けられ、排出用スタッカを拡開した時に電源がＯＮ、排出用スタッカを閉塞した時に電源がＯＦＦとなるように構成されていることを特徴とする液体噴射装置。
【発明の詳細な説明】
【技術分野】
【０００１】
本発明は、未使用時には記録装置本体の開口を閉塞すると共に、使用時には拡開して、記録実行後の被記録材を前記開口から受け取る排出用スタッカを電源起動操作手段として使用し、排出用スタッカの開閉動作を利用して電源のＯＮ、ＯＦＦを切り換えるようにした電源起動装置及び電源起動方法並びに当該電源起動装置を備えることによって当該電源起動方法を実行し得る記録装置に関する。
【０００２】
更に本発明は、インク等の液体をそのヘッドから吐出（噴射）して被記録材（被液体噴射材）に記録を実行する（液体を付着する）インクジェット式記録装置などの液体噴射装置並びに当該液体噴射装置において設けられる電源起動装置及び当該電源起動装置を設けることによって実行される電源起動方法に関するものである。
【０００３】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
以下、インクジェット式記録装置あるいは液体噴射装置の一例としてインクジェットプリンタを採り上げて説明する。従来のインクジェットプリンタにあっては、プリンタ本体外部に設けられている外部電源スイッチを操作して電源のＯＮ、ＯＦＦを切り換えていた。また電源のＯＮ、ＦＦの確認はプリンタ本体上面あるいは前面等に設けられる発光ダイオード（以下ＬＥＤという）の点灯、消灯によって確認していた。これに伴い、電源がＯＮの状態では常にＬＥＤは点灯状態となり、電力消費量の増大を招いていた。
【０００６】
また、インクジェットプリンタを使用する場合には、プリンタ本体の前面開口を開き、排出用スタッカを用紙受入れ姿勢にするために排出用スタッカを拡開する必要がある。しかし誤って排出用スタッカを閉塞したまま、用紙を給紙して記録の実行が開始された場合には、用紙の排紙部において紙詰まり等が生ずることとなる。
【０００７】
下記特許文献１は、ユーザが外部電源スイッチを探して電源をＯＮにするという手間を省き、外部電源スイッチを切り忘れた場合の無駄な電力消費を無くすために発案されたものである。具体的には、特許文献１ではメイン電源に加えてサブ電源を設け、サブ電源によって用紙検知手段を動作させて、用紙検知手段によって用紙の配置が確認された場合にメイン電源がＯＮになるようにしている。
【０００８】
しかし、特許文献１の構成では、２つの電源を必要とし、用紙の配置さえ確認されれば記録が実行されてしまう。従って排出用スタッカが閉塞されている状態でも、記録が実行でき、記録された用紙は搬送されてしまうため、上述のような紙詰まりが依然発生する。
【０００９】
【特許文献１】特開平５−１１９５５７号公報
【発明の開示】
【発明が解決しようとする課題】
【００１０】
本発明は、このような背景技術及び背景技術が抱えていた問題点の存在を踏まえて発案されたものであって、電源ランプとして使用していたＬＥＤを省略することで電力消費量を抑制し、排出用スタッカを閉塞した状態での記録の実行を規制することで被記録材の詰まり等の搬送トラブルを防止するようにした電源起動装置、電源起動方法、該電源起動装置を備えた記録装置等を提供することを課題とするものである。
【課題を解決するための手段】
【００１１】
上記課題を解決するために本発明の第１の態様に係る電源起動装置は、未使用時には記録装置本体の開口を閉塞すると共に、使用時には拡開して、記録実行後の被記録材を前記開口から受け取る排出用スタッカと、記録装置本体の前記開口の近傍または排出用スタッカに対して設けられる内部電源スイッチと、排出用スタッカまたは記録装置本体の前記開口の近傍に対して設けられる電源起動片とを備え、排出用スタッカを拡開した時に電源がＯＮ、排出用スタッカを閉塞した時に電源がＯＦＦとなるように構成されていることを特徴とするものである。
【００１２】
本発明の第１の態様によれば、ユーザは排出用スタッカを開閉するだけで電源のＯＮ、ＯＦＦを切り換えることができるから操作性が向上する。また外部電源スイッチを省略したことで、電源ランプ用のＬＥＤが不要となり電力消費量を削減することができる。また排出用スタッカが閉塞状態にある時は、必然的に電源が入らない構成になっているから、排出用スタッカが閉塞状態にある時に生ずる被記録材の詰まり等も防止される。またこれらに付随する効果として、電源のＯＮ、ＯＦＦの切り換えが明確になるから、電源の切り忘れや電源の入れっぱなしを防止することができる。また記録装置本体の外観に電源スイッチを設ける必要がなくなるから、シンプルですっきりしたデザインの記録装置にすることができる。またＬＥＤ等、部品点数の減少や記録装置本体のシンプル化に伴って製造コストの削減も図られる。
【００１３】
本発明の第２の態様に係る電源起動装置は、第１の態様において、前記内部電源スイッチは電源起動片が非作動状態にある時に電源がＯＮ、電源起動片が作動状態にある時に電源がＯＦＦとなる逆接点タイプのスイッチであることを特徴とするものである。  
本発明の第２の態様によれば、内部電源スイッチと、内部電源スイッチを作動する電源起動片を設けるだけの極めて簡単な構造によって電源起動装置を構成することが可能となり、製造コストの削減が図られる。
【００１４】
本発明の第３の態様に係る電源起動装置は、第１の態様において、前記内部電源スイッチは正接点タイプのスイッチであり、排出用スタッカを拡開した時に電源起動片が作動状態に移行して電源がＯＮ、排出用スタッカを閉塞した時に電源起動片が非作動状態に移行して電源がＯＦＦになるように電源起動片の作用位置を切り換える作用位置切換え機構が設けられていることを特徴とするものである。  
本発明の第３の態様によれば、内部電源スイッチとしては、一般に広く普及している比較的安価な正接点タイプのスイッチが使用できるから部品コストの削減が図られる。また作用位置切換え機構は、排出用スタッカの開閉動作と連動して動作する構成になるから、別途の動力源は不要で、歯車列やカム機構、あるいはリンク機構等、比較的簡単な構造によって作用位置切換え機構を構成することが可能となる。
【００１５】
本発明の第４の態様に係る電源起動装置は、第１の態様において、前記内部電源スイッチは正接点タイプのスイッチであり、排出用スタッカを拡開した時に内部電源スイッチの操作片を付勢して電源をＯＮにし、排出用スタッカを閉塞した時に内部電源スイッチの操作片の付勢を解除して電源をＯＦＦにする操作片付勢手段が設けられていること特徴とするものである。  
本発明の第４の態様によれば、内部電源スイッチとしては、一般に広く普及している比較的安価な正接点タイプのスイッチが使用できるから部品コストの削減が図られる。また操作片付勢手段は、排出用スタッカの開閉動作と連動して動作する構成になるから、別途の動力源は不要で、バネやカム等といった比較的簡単な構成の操作片付勢手段とすることが可能となる。
【００１６】
本発明の第５の態様に係る電源起動装置は、第１〜第４のいずれか１つの態様において、前記内部電源スイッチは機械的な接触式のリミットスイッチであり、電源起動片には、リミットスイッチの操作片の回動動作を案内する案内作用面が形成されていること特徴とするものである。  
本発明の第５の態様によれば、内部電源スイッチとしては比較的安価なリミットスイッチを使用しているから部品コストの削減が図られる。また電源起動片に案内作用面を形成したことによりスイッチのＯＮ、ＯＦＦの切り換えが円滑に行なわれる。
【００１７】
本発明の第６の態様に係る電源起動方法は、未使用時には記録装置本体の開口を閉塞すると共に、使用時には拡開して、記録実行後の被記録材を前記開口から受け取る排出用スタッカを電源起動操作手段として使用した電源起動方法であって、前記電源起動方法は、排出用スタッカの拡開、閉塞の別を確認し、排出用スタッカが拡開されていると確認された場合には電源をＯＮの状態にし、排出用スタッカが閉塞されていると確認された場合には電源をＯＮの状態にしないように設定したこと特徴とするものである。
【００１８】
本発明の第６の態様によれば、ユーザは排出用スタッカを開閉するだけで電源のＯＮ、ＯＦＦを切り換えることができるから操作性が向上する。また外部電源スイッチを省略したことで、電源ランプ用のＬＥＤが不要となり電力消費量を削減することができる。また排出用スタッカが閉塞状態にある時は、必然的に電源が入らない構成になっているから、排出用スタッカが閉塞状態にある時に生ずる被記録材の詰まり等も防止される。またこれらに付随する効果として、電源のＯＮ、ＯＦＦの切り換えが明確になるから、電源の切り忘れや電源の入れっぱなしを防止することができる。また記録装置本体の外観に電源スイッチを設ける必要がなくなるから、シンプルですっきりしたデザインの記録装置にすることができる。またＬＥＤ等、部品点数の減少や記録装置本体のシンプル化に伴って製造コストの削減も図られる。
【００１９】
本発明の第７の態様に係る電源起動方法は、第６の態様において、電源をＯＮの状態にした後、待機状態に移行し、一定の待機時間が経過した後、再度排出用スタッカの拡開、閉塞の別を確認し、排出用スタッカが拡開されていると確認された場合には電源をＯＮの状態を維持し、排出用スタッカが閉塞されていると確認された場合には電源をＯＦＦの状態に移行するように設定したこと特徴とするものである。  
本発明の第７の態様によれば、排出用スタッカが拡開状態にあるか否かの１回目の判断によって排出用スタッカが拡開状態にあると判断された場合に直ちに電源をＯＮ状態にし、起動速度の向上が図られる。また電源をＯＦＦにする場合には排出用スタッカが拡開状態にあるか否かを２回判断し、２回目の判断で排出用スタッカが拡開状態にないと判断された場合に電源をＯＦＦにすることとし、電源ＯＦＦの動作安定性の向上が図られている。
【００２０】
本発明の第８の態様に係る記録装置は、未使用時には記録装置本体の開口を閉塞すると共に、使用時には拡開して、記録実行後の被記録材を前記開口から受け取る排出用スタッカを備える記録装置であって、前記記録装置には、第１〜第５のいずれか１つの態様の電源起動装置が設けられていることを特徴とするものである。  
本発明の第８の態様によれば、電源ランプとして使用していたＬＥＤが省略できるから、電力消費量を低く抑えることが可能となる。また排出用スタッカを閉塞した状態での記録の実行が規制されているから、被記録材の詰まり等の搬送トラブルを防止することが可能となる。
【００２１】
本発明の第９の態様に係る液体噴射装置は、未使用時には液体噴射装置本体の開口を閉塞すると共に、使用時には拡開して、液体噴射実行後の被液体噴射材を前記開口から受け取る排出用スタッカを備える液体噴射装置であって、前記液体噴射装置には、液体噴射装置本体の前記開口の近傍または排出用スタッカに対して設けられる内部電源スイッチと、排出用スタッカまたは液体噴射装置本体の前記開口の近傍に対して設けられる電源起動片とが設けられ、排出用スタッカを拡開した時に電源がＯＮ、排出用スタッカを閉塞した時に電源がＯＦＦとなるように構成されていることを特徴とするものである。
【発明を実施するための最良の形態】
【００２２】
以下、本願発明に係る電源起動装置、電源起動方法、及び該電源起動装置を設けた液体噴射装置の一例である記録装置について説明する。最初に本願発明の液体噴射装置の一例である記録装置を実施するための最良の形態としてインクジェットプリンタを採り上げて、その全体構成の概略を図面に基づいて説明する。図１は排出用スタッカを拡開した状態のインクジェットプリンタを示す斜視図、図２はインクジェットプリンタの概略を示す側断面図である。
【００２３】
インクジェットプリンタ１００には、被液体噴射材の一例である被記録材Ｐ（以下単に用紙Ｐともいう。）に記録を実行する液体噴射実行手段の一例である記録実行手段の主たる構成要素として、主走査方向Ｘに往復可能にキャリッジガイド軸１２によって軸支されたキャリッジ１０が設けられている。そして、該キャリッジ１０には用紙Ｐ等に液体の一例であるインクを吐出（噴射）して記録を行なう液体噴射ヘッドの一例である記録ヘッド１３が搭載されている。またキャリッジ１０には液体カートリッジの一例であるインクカートリッジ１１が装着されている。
【００２４】
記録ヘッド１３の下方には、記録ヘッド１３と対向して記録ヘッド１３のヘッド面と用紙Ｐ等との間のプラテンギャップＰＧを規定するプラテン２８が設けられている。そしてキャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が行われる。
【００２５】
次に、用紙Ｐの搬送経路に従ってインクジェットプリンタ１００の構成を更に説明する。先ず、最も搬送方向上流側に用紙Ｐを積畳する被液体噴射材積畳部の一例である給送用トレイ５が設けられている。また給送用トレイ５には用紙Ｐの側端面（エッジ）に当接し、副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。
【００２６】
また、これらの給送用トレイ５、給送用ローラ１４及びホッパ１６を含む装置が自動給送装置２であり、給送用ローラ１４の回転に伴って最上面に位置する用紙Ｐから順番に給送用ローラ１４近傍に設けられる分離作用部の一例である分離パッド等の力を借りて単位数ずつピックアップして搬送方向下流に向かって送られる。
【００２７】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、搬送用従動ローラ用のローラホルダ１８の下流側において軸支され、当該ローラホルダ１８は、図示しない回転軸を中心に回動可能に設けられ、かつ図示しないねじりコイルばねによって搬送用従動ローラ１９ｂが常に搬送用駆動ローラ１９ａに圧接したニップ状態になるように回動付勢されている。
【００２８】
搬送用ローラ１９によって挟圧された状態で搬送される用紙Ｐは、記録ヘッド１３の下方の記録ポジション２６に導かれ、上述のキャリッジ１０及び用紙Ｐの動作によって用紙Ｐの記録面のほぼ全面に亘って所望の記録が実行される。記録ヘッド１３とその下方において、これと対向して設けられるプラテン２８とのプラテンギャップＰＧは高精度の記録を実行する上で極めて重要な要素となっており、用紙Ｐの厚さの変化に応じて適宜調節されるようになっている。
【００２９】
記録ヘッド１３の下流には、排出用駆動ローラ２０ａと、排出用ギザローラ２０ｂとによって構成される被液体噴射材排出手段の一例である排出用ローラ２０が設けられている。この排出用ローラ２０によって排出された用紙Ｐは、更に下流に位置する被液体噴射材受け部の一例である排出用スタッカ５０上の載置面５１に排出されるようになっている。
【００３０】
排出用ギザローラ２０ｂは、その外周に複数の歯を有する歯付きローラであり、排出用ギザローラ用の図示しないローラホルダによって自由回転可能に軸支されている。排出用ギザローラ２０ｂの上流には補助ギザローラ２２が設けられ、用紙Ｐは該補助ギザローラ２２によってやや下方に押し付けられるようになっている。また、搬送用従動ローラ１９ｂは、搬送用駆動ローラ１９ａよりその軸芯位置がやや下流側に配設されていて、更に排出用ギザローラ２０ｂは排出用駆動ローラ２０ａよりその軸芯位置がやや上流側に配設されている。
【００３１】
このような構成によって用紙Ｐは、搬送用ローラ１９と排出用ローラ２０との間において僅かに下に凸となる俗に「逆ぞり」と呼ばれている湾曲状態となり、記録ヘッド１３に対向する位置にある用紙Ｐは、プラテン２８に押し付けられる。これにより用紙Ｐの浮き上がりが防止され、正常に記録が実行されるようになっている。尚、補助ギザローラ２２は、排出用ギザローラ２０ｂと同様に歯付きローラから構成されており、図示しない補助ギザローラ用のローラホルダに軸支されている。
【００３２】
［実施例］
次に、このようなインクジェットプリンタ１００に対して適用される本願発明に係る電源起動装置の構成とその作動態様と併せて、本願発明に係る電源起動方法について説明する。図３は、電源起動装置周辺を拡大して示す排出用スタッカ閉塞時の側断面図（ａ）と、排出用スタッカ拡開時の側断面図（ｂ）である。また図４は電源起動方法の制御の流れを示すフローチャートである。
【００３３】
本発明の電源起動装置１は、電源起動操作手段として前述の排出用スタッカ５０、そして電源起動実行手段として内部電源スイッチ３０と電源起動片３１とを備えている。排出用スタッカ５０は未使用時にはプリンタ本体３の前面開口４を閉塞すると共に、使用時には手前に拡開して、記録実行後の用紙Ｐを受け取る役割を有している。そして排出用スタッカ５０は、図示しない開閉装置を介してプリンタ本体３に対して回動自在に接続されている。
【００３４】
内部電源スイッチ３０は、プリンタ本体３の前面開口４の側傍に設けられており、本実施例では機械的な接触式のリミットスイッチ３４を一例として使用している。リミットスイッチ３４には操作片３５が設けられていて、図３（ａ）に示すように操作片３５が水平に位置した状態で電源がＯＦＦ、図３（ｂ）に示すように操作片３５が斜め上方に位置した状態で電源がＯＮになるように設定されている。
【００３５】
尚、このように電源起動片３１がリミットスイッチ３４における操作片３５に対して作用する作動状態にある時に電源がＯＦＦになり、電源起動片３１がリミットスイッチ３４における操作片３５に対して作用しない非作動状態にある時に電源がＯＮとなる形式を本明細書において「逆接点」と定義し、このような形式のスイッチを逆接点タイプのスイッチという。一方、電源起動片３１がリミットスイッチ３４における操作片３５に対して作用する作動状態にある時に電源がＯＮになり、電源起動片３１がリミットスイッチ３４における操作片３５に対して作用しない非作動状態にある時に電源がＯＦＦとなる形式を本明細書において「正接点」と定義し、このような形式のスイッチを正接点タイプのスイッチという。従って図３に示す本実施例の内部電源スイッチ３０は逆接点タイプのスイッチである。
【００３６】
電源起動片３１は、排出用スタッカ５０の回動基端部内側に設けられており、排出用スタッカ５０を閉塞した時に、前記リミットスイッチ３４における操作片３５と当接し、操作片３５を水平に位置させることのできる位置に設けられている。電源起動片３１は、本実施例では、排出用スタッカ５０から垂直に立ち上げられる突起状部材３２によって構成されている。また突起状部材３２の先端下面は円弧状に切り落とされており、その傾斜面が操作片３５の水平位置への回動を案内する案内作用面３３となっている。
【００３７】
次に図４に示すフローチャートに基づいて本発明の電源起動装置の作動態様と併せて、本発明の電源起動方法について説明する。先ずステップＳ０１において、排出用スタッカ５０が拡開状態にあるか否かの判断が行われ、排出用スタッカ５０が拡開状態にあると判断された場合には、ステップＳ０２に移行して電源がＯＮになる（図３（ｂ）の状態）。一方、ステップＳ０１において排出用スタッカ５０が拡開状態にないと判断された場合には、ステップＳ０１の前に戻され、排出用スタッカ５０が拡開状態にあると判断されるまで、上記のプロセスが繰り返される。
【００３８】
ステップＳ０２において、電源がＯＮになった後、ステップＳ０３に移行し、所定の待機時間の後、ステップＳ０４では、排出用スタッカ５０が拡開状態にあるか否かの再度の判断が行なわれ、排出用スタッカ５０が拡開状態にあると判断された場合には、ステップＳ０３の前に戻り、上記のプロセスを繰り返す。一方、ステップＳ０４において、排出用スタッカ５０が拡開状態にないと判断された場合には、ステップＳ０５に移行して電源がＯＦＦになる（図３（ａ）の状態）。そしてステップＳ０１の前に戻り、上述した一連のプロセスが繰り返される。
【００３９】
［他の実施例］
本願発明に係る電源起動装置、電源起動方法及び該電源起動装置を設けた記録装置等は、以上述べたような構成を基本とするものであるが、本願発明の要旨を逸脱しない範囲内の部分的構成の変更や省略等を行なうことも勿論可能である。例えば、前述の実施例の配置と逆にして排出用スタッカ５０側に内部電源スイッチ３０を設け、プリンタ本体３の前面開口４の側傍に電源起動片３１を設けるようにすることも可能である。
【００４０】
また、内部電源スイッチ３０は、機械的な接触式のリミットスイッチに限らず、プッシュスイッチやシーソースイッチ等、他の方式の機械的スイッチであってもよいし、近接スイッチや光学的なスイッチ等、非接触式のスイッチであってもよい。また、内部電源スイッチ３０は、正接点タイプのスイッチであってもよく、その場合には図５に示す作用位置切換え機構３６や図６に示す操作片付勢手段３７を備える構成や、電気回路上の操作によって接点を切り換える構成が採用可能である。
【００４１】
図５に示す作用位置切換え機構３６は、排出用スタッカ５０と一体に回動する扇形ラック３８と、扇形ラック３８に噛み合うピニオンギヤ３９と、ピニオンギヤ３９と一体に所定の角度回転する可動式の電源起動片３１とを備えている。この実施例の場合、排出用スタッカ５０が閉塞状態にある図５（ａ）に示す電源ＯＦＦの状態から図５（ｂ）に示すように、排出用スタッカ５０を反時計方向に回動させると、扇形ラック３８と噛み合うピニオンギヤ３９は時計方向に回転する。従って、ピニオンギヤ３９と一体の電源起動片３１も時計方向に回転して、リミットスイッチ３４の操作片３５に当接して電源をＯＮ状態にする。
【００４２】
また、図６に示す操作片付勢手段３７は、排出用スタッカ５０に対して設けられる押下げ爪４０と、押下げ爪４０によって係止されるフランジ部４１を下端に有し、その上部に押上げピン４２を備えるプッシャ４３と、フランジ部４１を上方に押し上げる圧縮コイルバネ４４とを備えている。この実施例の場合、排出用スタッカ５０が閉塞状態にある時は、図６（ａ）に示すように、プッシャ４３は、押下げ爪４０によって圧縮コイルバネ４４の付勢力に抗して下方に押し下げられている。従って、リミットスイッチ３４の操作片３５には、プッシャ４３における押上げピン４２は当接していないから、電源はＯＦＦ状態となる。
【００４３】
一方、排出用スタッカ５０が拡開状態にある時は、図６（ｂ）に示すように、プッシャ４３は、押下げ爪４０による係止から解かれて、圧縮コイルバネ４４の付勢力によって上方に移動する。そして、押上げピン４２がリミットスイッチ３４の操作片３５に当接して電源はＯＮ状態となる。尚、図６に示す実施例の場合には、電源を非起動状態とする点、各称にそぐわない感もあるが、作用的には押下げ爪４０が電源起動片３１ということができる。
【００４４】
この他、図７に示すように図３に示す実施例において、突起状部材３２に対して設けた案内作用面３３をリミットスイッチ３４における操作片３５側に設けたり、図示は省略するが、突起状部材３２と操作片３５の双方に案内作用面３３を設けることも可能である。因みに、図７に示す実施例では操作片３５自体を湾曲させることによって、その上面を案内作用面３３としている。また図示は省略するが、図４に示すフローチャートにおいて、一定の待機時間及び２回目の排出用スタッカ５０の拡開状態にあるか否かの判断を待たないで、１回目の排出用スタッカ５０の拡開状態にあるか否かの判断のみで電源のＯＮ、ＯＦＦを切り換えるようにすることも可能である。
【図面の簡単な説明】
【００４５】
【図１】排出用スタッカ拡開時のインクジェットプリンタを示す斜視図である。
【図２】インクジェットプリンタの概略を示す側断面図である。
【図３】電源起動装置周辺を拡大して示す側断面図である。
【図４】電源起動方法の制御の流れを示すフローチャートである。
【図５】電源起動装置の他の実施例を示す側断面図である。
【図６】電源起動装置の更に他の実施例を示す側断面図である。
【図７】電源起動装置の更に他の実施例を示す側断面図である。
【符号の説明】
【００４６】
１  電源起動装置、２  自動給送装置、３  プリンタ本体（記録装置本体）、
４  前面開口、５  給送用トレイ、１０  キャリッジ、１１  インクカートリッジ、
１２  キャリッジガイド軸、１３  記録ヘッド、１４  給送用ローラ、
１５  エッジガイド、１６  ホッパ、１７  回転軸、
１８  ローラホルダ（搬送用従動ローラの）、１９  搬送用ローラ、
１９ａ  搬送用駆動ローラ、１９ｂ  搬送用従動ローラ、２０  排出用ローラ、
２０ａ  排出用駆動ローラ、２０ｂ  排出用ギザローラ、２２  補助ギザローラ、
２６  記録ポジション、２８  プラテン、３０  内部電源スイッチ、３１  電源起動片、３２  突起状部材、３３  案内作用面、３４  リミットスイッチ、３５  操作片、
３６  作用位置切換え機構、３７  操作片付勢手段、３８  扇形ラック、
３９  ピニオンギヤ、４０  押下げ爪、４１  フランジ部、４２  押上げピン、
４３  プッシャ、４４  圧縮コイルバネ、５０  排出用スタッカ、５１  載置面、
１００  インクジェットプリンタ（記録装置）、Ｐ  用紙（被記録材）、Ｘ  主走査方向、Ｙ  副走査方向、ＰＧ  プラテンギャップ
【図１】
2005280275.tif 000003
【図２】
2005280275.tif 000004
【図３】
2005280275.tif 000005
【図４】
2005280275.tif 000006
【図５】
2005280275.tif 000007
【図６】
2005280275.tif 000008
【図７】
2005280275.tif 000009